(57)【要約】      （修正有）【課題】異形天板の支持体への取り付け作業及びその取り付け状態を適正化する。【解決手段】支持体２に平面視Ｌ字形をなす異形天板３を載せ置き、この異形天板３を支持体２に対し相対的にスライド移動させることによって、異形天板３の少なくとも２箇所を支持体２の対応部位に、その間に介在させたスライド係合機構５を介して同時に接続する構成を採用するにあたり、スライド移動方向を、異形天板３の使用縁３ａや反使用縁３ｂの内角を二等分する方向に設定することとした。【選択図】図１
2004230081.tif 000002
【特許請求の範囲】
【請求項１】
支持体に平面視Ｌ字形をなす異形天板を載せ置き、この異形天板を支持体に対し相対的にスライド移動させることによって、異形天板の少なくとも２箇所を支持体の対応部位に、その間に介在させたスライド係合機構を介して同時に接続するようにしたものであって、
前記スライド移動方向を、異形天板の使用縁側又は反使用縁側の内角を二等分する方向に設定したことを特徴とする天板付家具。
【請求項２】
支持体に平面視部分円弧状をなす異形天板を載せ置き、この異形天板を支持体に対し相対的にスライド移動させることによって、異形天板の少なくとも２箇所を支持体の対応部位に、その間に介在させたスライド係合機構を介して同時に接続するようにしたものであって、
前記スライド移動方向を、弧の中間位置から円弧中心に向かう方向に設定していることを特徴とする天板付家具。
【請求項３】
支持体に異形天板を載せ置き、この異形天板を支持体に対し相対的にスライド移動させることによって、異形天板の少なくとも２箇所を支持体の対応部位に、その間に介在させたスライド係合機構を介して同時に接続するようにしたものであって、
前記スライド係合機構が所定角度をなして平面視ハの字形または逆ハの字形に一対に配置されており、スライド移動方向を前記両スライド係合機構のなす角を二等分する方向に設定していることを特徴とする天板付家具。
【請求項４】
支持体に異形天板を載せ置き、異形天板を支持体に対し相対的にスライド移動させることによって、異形天板の少なくとも２箇所を支持体の対応部位に、その間に介在させたスライド係合機構を介して同時に接続するようにしたものであって、
支持体が所定角度をなして平面視ハの字形または逆ハの字形に配置した一対の支持要素を具備するものであり、スライド移動方向を前記両支持要素のなす角を二等分する方向に設定していることを特徴とする天板付家具。
【請求項５】
スライド係合機構が、天板または支持体の一方に設けた突出部と、この突出部を挿入すべく他方に設けた係合孔とを具備し、スライド始端位置で天板を支持体に載せ置いた際に突出部の突出端側を係合孔に挿入し、天板のスライド終端位置で突出部を係合孔に上下方向に係り合わせるようにしている請求項１〜４記載の天板付家具。
【請求項６】
支持体の全部又は一部が、引出しを備えた袖構造をなす請求項１〜５記載の天板付家具。
【請求項７】
異形天板の反使用縁が壁面に沿って配置される場合において、壁面との間に配線類を落とし込むことのできる空間を形成する凹所を当該異形天板に設け、その凹所を、異形天板をスライド移動させる際の操作箇所として利用可能にしている請求項１〜６記載の天板付家具。
【請求項８】
複数の凹所を、異形天板のスライド移動の中心線に対して両側に対称的に設けている請求項７記載の天板付家具。
【発明の詳細な説明】
【０００１】
【発明の属する技術分野】
本発明は、異形天板の支持体への取り付け作業及びその取り付けを適正に行い得るようにした天板付家具に関するものである。
【０００２】
【従来の技術】
近時のオフィスにおけるＯＡ化の進展に伴って、机上におけるデスクワークはペーパー作業からコンピュータを使用した作業へとその大半が移行した。そして、このような作業形態の変化に伴って、天板付家具は、往来の矩形天板から次第にＬ字形天板などの異形天板を採用したものが増えている。
【０００３】
しかして、従来の天板付家具は、矩形天板の左右２箇所を支持体に取り付けて構成されるのが通例であり、その取付作業の便を向上させるべく、例えば特許文献１に示されるように、支持体に矩形天板を載せ置き、この矩形天板を支持体に対し相対的にスライド移動させることによって、矩形天板と支持体との間に介在させたダルマ孔と段付ピン等からなるスライド係合機構を通じて当該矩形天板の左右を支持体の対応部位に係り合わせる構造を採用して、作業効率の向上を図っていた。
【０００４】
【特許文献１】
特開平１１−１６４７３９号  公報
【０００５】
【発明が解決しようとする課題】
そこで、Ｌ字形その他の異形天板も、矩形天板と同様、スライド操作によって支持体に取り付ける手法を採用できれば、その取付作業の効率化が図れることは言うまでもない。
【０００６】
しかしながら、異形天板は、当該天板の使用縁や反使用縁が様々な角度や形状をなしている場合や、左右の支持体、スライド係合機構が異なる方向に配置される場合等があるので、スライド方向を誤って設定すると、異形天板のスライド移動のバランスが崩れ、左右の動きが不均等となって作業上及び取付上の支障が生じ易いものとなる。
【０００７】
本発明は、このような異形天板の支持体への取り付け作業及びその取り付け状態を適正化することを目的としている。
【０００８】
【課題を解決するための手段】
本発明は、かかる目的を達成するために、次のような構成を採用したものである。
【０００９】
すなわち、本発明の天板付家具は、支持体に平面視Ｌ字形をなす異形天板を載せ置き、この異形天板を支持体に対し相対的にスライド移動させることによって、異形天板の少なくとも２箇所を支持体の対応部位に、その間に介在させたスライド係合機構を介して同時に接続する場合においては、前記スライド移動方向を、異形天板の使用縁側又は反使用縁側の内角を二等分する方向に設定するようにする。
【００１０】
このようにすれば、異形天板をその使用縁や反使用縁を把持して操作する際、Ｌ字形に屈曲したその左右両領域にスライド動作全体を通してバランスよく均等に操作力を与えることができるので、異形天板が回転等の作業上好ましくない動作をすることを極力有効に回避することができる。
【００１１】
また、支持体に平面視部分円弧状（扇形などを含む）をなす異形天板を載せ置き、この異形天板を支持体に対し相対的にスライド移動させることによって、異形天板の少なくとも２箇所を支持体の対応部位に、その間に介在させたスライド係合機構を介して同時に接続する場合においては、前記スライド移動方向を、弧の中間位置から円弧中心に向かう方向に設定すればよい。
【００１２】
さらに、天板形状以外の要素として、スライド係合機構が所定角度をなして平面視ハの字形または逆ハの字形に一対に配置されている場合には、スライド移動方向を前記両スライド係合機構のなす角を二等分する方向に設定すればよい。このような設定は、雲形天板等のように異形天板側に二等分すべき対象を捉えにくい場合等にも有効である。
さらにまた、天板形状以外の要素として、支持体が所定角度をなして平面視ハの字形または逆ハの字形に配置した一対の支持要素を具備する場合には、スライド移動方向を前記両支持要素のなす角を二等分する方向に設定すればよい。このような設定も、雲形天板等のように異形天板側に二等分すべき対象を捉えにくい場合等に有効である。
【００１３】
スライド係合機構の好ましい実施の一態様としては、天板または支持体の一方に設けた突出部と、この突出部を挿入すべく他方に設けた係合孔とを具備し、スライド始端位置で天板を支持体に載せ置いた際に突出部の突出端側を係合孔に挿入し、天板のスライド終端位置で突出部を係合孔に上下方向に係り合わせるようにしているものが挙げられる。
【００１４】
作業性を無理なく高めるためには、支持体の全部又は一部に、引出しを備えた袖構造を採用しておくことが好ましい。
【００１５】
異形天板の反使用縁が壁面に沿って配置される場合には、壁面との間に配線類を落とし込むことのできる空間を形成する凹所を当該異形天板に設け、その凹所を、異形天板をスライド移動させる際の操作箇所として利用可能にしていることが望ましい。
【００１６】
この場合、複数の凹所を、異形天板のスライド移動の中心線に対して両側に対称的に設けておくことが特に有効となる。
【００１７】
【発明の実施の形態】
以下、本発明の一実施形態について、図面を参照して説明する。
【００１８】
この実施形態の天板付家具１は、図１に示すように支持体２に異形天板３を載せ置き、この異形天板３を支持体２に対し図８に矢印で示すように相対的にスライド移動させることによって、異形天板３の少なくとも２箇所を支持体２の対応部位に、その間に介在させたスライド係合機構５を介して同時に接続するようにしたものである。
【００１９】
図１に示す支持体２は、主たる支持要素である一対の袖構造体４と、補助的な支持要素であるコーナー脚６とを具備する。袖構造体４は、図１、図２、図４、図５及び図６等に示すように、上壁４Ａ、底壁４Ｂ、側壁及４Ｃ及び背壁４Ｄによって５面を閉止し前面側を開口させた収納空間を形成してなる筐体４０と、この筐体４０の収納空間に出し入れ可能に収容される上下３組の引出し４Ｅ１，４Ｅ２，４Ｅ３とを備えた自立性のあるものである。背壁４Ｄには、後上方に向けて突出するオプション取付部材４Ｆが取り付けてある。コーナー脚６は、図１に示すように角パイプ状のもので、直交２面における前記オプション取付部材４Ｆの対応位置にオプション取付部材６Ａを有している。そして、一対の袖構造体４を所定角度（９０°）向きを変えて離間配置し、かつコーナー脚６の直交２面のうちの各面が各々最寄の袖構造体４の背壁４Ｄとそれぞれ面一となる位置に配置して、各袖構造体４とコーナー脚６との上端部間にそれぞれ角パイプ状のフレーム部材７を架け渡して固定することにより、これら一対の袖構造体４とコーナー脚６とを相互に接続して構造物として一体化している。
【００２０】
一方、異形天板３は、図２、図３、図８等に示すように、前記一対の袖構造体４及びコーナー脚６の上方をほぼ覆う大きさの平面視Ｌ字形をなす木製のものである。反使用縁３ｂは直交２辺をなし、各辺の中間部やコーナー部等には、それぞれ使用縁３ａ側に凹む凹所３Ｃ，３Ｄが設けてある。また、この異形天板３の使用縁３ａ側は、袖構造体４に支持される端部領域が対応する反使用縁３ｂの辺と平行をなし、コーナー脚６と対面する中央領域はコーナー脚６側に向けて大きく抉った形状をなし、これら中央領域と端部領域との間が滑らかに連続させてある。このような異形天板形状は、主として中央領域に着座した者が、コーナー部にＰＣのモニターやキーボード等を無理なく有効活用でき、また、左右両側に位置する天板面３Ａをサイドデスク的に有効利用できる環境を提供するためのものである。しかしてこの異形天板３は、反使用縁３ｂの直交２辺がなす内角を２等分する直線を境にして、平面視左右対称形状をなしている。
【００２１】
そして、本実施形態は前記スライド係合機構５を、袖構造体４の上壁４Ａに取り付けた天板取付部材５Ａと、天板３の下面３Ｂに取り付けた係合部材５Ｂとの間に構成している。
【００２２】
天板取付部材５Ａは、図１〜図６等に示すように、袖構造体４の上壁４Ａの内側に収まる平面形状をなす底板５Ａ１と、この底板５Ａ１の左右両縁より起立する起立片５Ａ２及び前縁より起立する起立片５Ａ４とを具備するスチール製のもので、左右の起立片５Ａ２の前後２箇所に、起立端から相寄る向きに水平片５Ａ３を形成し、前側の起立片５Ａ４にも前方へ突出させた水平片５Ａ５を形成している。一方、係合部材５Ｂは、図１〜図３並びに図７等に示すように、底板５Ｂ１及び起立片５Ｂ２によってチャネル構造をなしその起立端から相離れる向きに取付片５Ｂ３を突出させてなるもので、この係合部材５Ｂを異形天板３の下面３Ｂに対して、当該異形天板３の所定取付位置において前記袖構造体４の天板取付部材５Ａに対向することとなる部位に取り付けている。この係合部材５Ｂは、その長手方向を天板３の反使用縁３ｂ側の辺に平行な方向（換言すれば、袖構造体４の幅方向、引出し４Ｅ１、４Ｅ２，４Ｅ３の出し入れと直交する方向）に合致させて配置される。
【００２３】
そして、天板取付部材５Ａの底壁５Ａ１における後端部側に左右一対の取付孔（図示省略）を設けて突出部たる段付ピン８を上方からねじ込んで取り付ける一方、係合部材５Ｂの底板５Ｂ１に前記一対の取付孔と同一ピッチで長手方向２箇所に係合孔たるダルマ孔５Ｂ４を形成して、スライド始端位置Ｐ（図８参照）で異形天板３を袖構造体４に載せ置いた際に図７（ａ）に想像線で示すように段付ピン８の突出端側の頭部８１をダルマ孔５Ｂ４の大径な挿脱口５Ｂ４１に挿入し、天板３のスライド終端位置Ｑ（図８参照）で前記頭部８１を同図（ｂ）、（ｃ）、（ｄ）に示すように前記挿脱口５Ｂ４の隣接位置に設けた規制部たる小孔５Ｂ４２、５Ｂ４３の何れか一方に引き込んで上下方向に係り合わせるようにしている。小孔５Ｂ４２，５Ｂ４３は段付ピン８の軸部８２よりも開口が大きく頭部８１よりも開口が小さく設定されており、挿脱口５Ｂ４１の略中心から小孔５Ｂ４２，５Ｂ４３の略終端までの距離は、異形天板３をスライド移動させる距離に対応している。
【００２４】
その際、この天板付家具１が異形天板３を２箇所において支持すべく袖構造体４を所定角度（９０°）向きを変えて配置していることより、袖構造体４に取り付ける天板取付部材５Ａや異形天板３の対応部位に取り付ける係合部材５Ｂの配置方向も図１、図２、図９等に明らかなように同一角度（９０°）異なってくる。そこで、このような状況下においても、これら天板取付部材５Ａや支持部材５Ｂを各袖構造体４に共通部材として使用して袖構造体４の段付ピン８と異形天板３側のダルマ孔５Ｂ４との係合を有効に実現することができるように、且つそのスライド係合を均等に行うことができるように、係合部材５Ｂに設けるダルマ孔５Ｂ４の形状及び向きに工夫を凝らしている。
【００２５】
先ず、この実施形態は、スライド移動方向を、図８に示すように異形天板３の使用縁３ａや反使用縁３ｂの内角を二等分する二等分線方向（４５°方向）に設定する。使用縁３ａの内角は直線をなす端部領域の角度に相当する。これは、スライド係合機構５が所定角度（９０°）をなして平面視ハの字形に一対に配置されている点に着目すれば、スライド移動方向は前記両スライド係合機構５のなす角を二等分する二等分線（以下「中心線ＣＬ」）方向であるとも言える。そして、そのために必要な要件として、着座者から見て右側の袖構造体４の対応部位に位置する係合部材５Ｂのダルマ孔５Ｂ４と、左側の袖構造体４の対応部位に位置する係合部材５Ｂのダルマ孔５Ｂ４とは、ともに挿脱口５Ｂ４１から前記中心線ＣＬ方向に向いている必要がある。右側の係合部材５Ｂと左側の係合部材５Ｂとは９０°配置が異なるから、仮に図１０に示すように１つの挿脱口５Ｂ４１ついて１つのみの小孔５Ｂ４２を有する一般的なダルマ孔５Ｂ４の場合について右側の係合部材５Ｂを右、左何れに旋回させて左側の係合部材５Ｂとして使用しても、小孔５Ｂ４２は二等分線と直交する方向を向き、二等分線方向を向くことはない。そこで、本実施形態は図３、図７、図８等に示すように、係合部材５Ｂのダルマ孔５Ｂ４に９０°異なる方向にもう１つ小孔５Ｂ４３を設けた二股形状を採用し、この係合部材５Ｂを９０°回転させて左側の係合部材５Ｂとして配置したときに、そのもう一つの小孔５Ｂ４３を前記中心線ＣＬ方向を向かせるようにしている。
【００２６】
なお、この実施形態は、前記オプション取付部材４Ｆ、６Ａを利用して、図１、図８、図９等に示すように、異形天板３の反使用縁３ｂの２辺にそれぞれパネル９を取り付け、またコーナー部にコーナーボックス１０を取り付けるようにしている。パネル９を取り付けることにより、前記凹所３Ｃ，３Ｄは、異形天板３とパネル９の前面９Ｂとの間に配線類を落とし込むための空間として機能する。
【００２７】
また、この天板付家具１は、異形天板３をスライド始端位置Ｐに誘導する位置決め機能と、異形天板３をスライド終端位置Ｑに固定する固定機能とを備えている。位置決め機能は、前記パネル９やコーナーボックス１０を利用することによって働くもので、図８に想像線で示すように、異形天板３の反使用縁３ｂ側のコーナー部及び２辺をコーナーボックス１０やパネル９の前面９Ｂに突き当てることをもって、左右の袖構造体４におけるダルマ孔５Ｂ４の挿脱口５Ｂ４１と段付ピン８とが合致する位置決めがなされるように設定している。段付ピン８が挿脱口５Ｂ４１に挿入されると、異形天板３の天板面３Ａが沈み込んでパネル９の上端９Ａと略同一高さとなるようにして、目視と操作感によってスライド操作の準備ができたことを確認できるようになっている。また、固定機能は、図１〜図３等に示すように、前記袖構造体４の上壁４Ａに設けた天板取付部材５Ａの前端側における起立片５Ａ４と、異形天板３の下面３Ｂの対応部位に設けた起立片１１Ａを有する被固定部材１１との協働作用により働くもので、異形天板３をスライド終端位置Ｑまで移動させたとき、両起立片同士５Ａ４、１１Ａが突き当たるか若しくは近接して対面する位置関係にそれらを設定している。そして、袖構造体４の前端側から固定部材の起立片５Ａ４にねじ１１Ｂを挿し通して被固定部材１１の起立片１１Ａに締めこむことによって、異形天板３をそのスライド終端位置Ｑに固定するようにしている。
【００２８】
次に、この実施形態における異形天板３の支持体２への取付手順について説明する。
【００２９】
先ず、異形天板３を、本来固定すべき位置よりも後方に変位させて支持体２に載せ置く。このとき、異形天板３の反使用縁３ｂ側のコーナー部をパネル９のコーナー部に突き当てれば、ダルマ孔５Ｂ４の挿脱口５Ｂ４１と段付ピン８とを合致させる位置決めがなされ、載せ置いて異形天板３が沈み込んだときに段付ピン８の頭部８１をダルマ孔５Ｂ４の挿脱口５Ｂ４１に挿入することができる。次に、異形天板３に設けられた配線落とし込み用の凹所３Ｄ，３Ｃ等を利用し、その適宜部位を把持して、これを前記中心線方向にスライド移動させる。常に中心線方向に移動させることが好ましいが、段付ピン８とダルマ孔５Ｂ４の間にはクリアランスが存在し、そのクリアランスから多少の蛇行は許容されるため、操作し易ければその許容範囲で図８に矢印で示すようにジグザグに操作して、右側の袖構造体４における係合と左側の袖構造体４における係合とを交互に進行させるようにしてもよい。そして、異形天板３がスライドし得なくなった位置、すなわちスライド終端位置Ｑにまで移動したときに、袖構造体４の正面側からねじ止めすることによって、図８及び図９に示すように異形天板３の支持体２への取り付け作業を完了することができる。
【００３０】
以上のようにして、本実施形態の天板付家具１は、支持体２に平面視Ｌ字形をなす異形天板３を載せ置き、この異形天板３を支持体２に対し相対的にスライド移動させることによって、異形天板３の少なくとも２箇所を支持体２の対応部位に、その間に介在させたスライド係合機構５を介して同時に接続するものであり、前記スライド移動方向を、異形天板３の使用縁側３ａ又は反使用縁３ｂ側の内角を二等分する方向に設定したので、異形天板３をその使用縁３ａや反使用縁３ｂを把持して操作する際、Ｌ字形に屈曲したその左右両領域にスライド動作全体を通してバランスよく均等に操作力を与えることができることになり、異形天板３が回転等の作業上好ましくない動作をすることを極力有効に回避して、取付作業及び取付状態の適性化を有効に実現することが可能となる。
【００３１】
また、この実施形態は、スライド係合機構５を所定角度をなして平面視逆ハの字形に一対に配置したものであるが、異形天板３のスライド移動方向を前記両スライド係合機構５のなす角を二等分する方向に設定したものでもあるため、左右何れかのスライド係合機構５の係合動作が先行してバランスが崩れ、噛み付くなどして抜き差しならない状態に陥ることも有効に回避することができるようになる。
【００３２】
さらに、この実施形態は、支持体２が所定角度（９０°）をなして平面視ハの字形または逆ハの字形に配置した一対の支持要素たる袖構造体４を具備するものであるが、異形天板３のスライド移動方向を前記両袖構造体４のなす角を二等分する方向に設定したものでもあるため、天板荷重を一対の支持要素に均等な条件で作用させることができ、荷重偏位に基づいて異形天板３が予期せぬ動作をすることも有効に回避することができるようになる。
【００３３】
そして、スライド係合機構５を、天板３または支持体２の一方に設けた突出部８と、この突出部８を挿入すべく他方に設けた係合孔５Ｂ４とを具備し、スライド始端位置Ｐで天板３を支持体２に載せ置いた際に突出部８の突出端側を係合孔５Ｂ４に挿入し、天板３のスライド終端位置Ｑで突出部８を係合孔５Ｂ４に上下方向に係り合わせる構造としたため、簡易にして異形天板３の取付作業に係る労力を大幅に軽減できる優れた効果が奏される。
【００３４】
また、この実施形態の支持体２の一部に、引出し４Ｅ１，４Ｅ２，４Ｅ３を備えた袖構造体４を採用しているため、異形天板３を安定的に支持して取付作業の安定化を向上させ、同時に家具としての機能も有効に高めることができる。
【００３５】
さらにまた、この実施形態は、異形天板３の反使用縁３ｂにパネル９を取り付けるものであって、壁面９Ｂとの間に配線類を落とし込むことのできる空間を形成する凹所３Ｃ，３Ｄを異形天板３に設けているが、その凹所３Ｃ，３Ｄを、異形天板３をスライド移動させる際の操作箇所として利用できるようにしているため、作業の便を無理なく有効に高めることが可能となる。
【００３６】
この場合、複数の凹所３Ｃ，３Ｄを、異形天板３のスライド移動の中心線ＣＬに対して両側に対称的に設けているため、操作力の均等な入力という点で本発明の本旨に沿うものである。
【００３７】
以上、本発明の一実施形態について説明したが、各部の具体的な構成は、上述した実施形態のみに限定されるものではない。
【００３８】
例えば、支持要素は、袖構造体４以外に側板や脚構造体等であってもよく、また支持体は支持要素に分割されず全体として一体をなすものであってもよい。また、天板付家具は、内角が９０°の異形天板以外に、例えば１２０°、１３５°の異形天板を使用するものに本発明を適用しても、上記と同等の作業効果を上げることができる。
【００３９】
支持体は、必ずしも一対の支持要素に分割されていなくともよい。
【００４０】
さらに、図１１に示すような扇形の異形天板１２などにおいては、同異形天板１２のスライド移動方向を、弧の中間位置から同図に矢印で示すように円弧中心Ｍに向かう方向に設定すれば上記と同様の作用効果を得ることができる。
【００４１】
その他の構成も、本発明の趣旨を逸脱しない範囲で種々変形が可能である。
【００４２】
【発明の効果】
本発明は、以上説明した構成であるから、Ｌ字形その他の異形天板をスライド操作によって支持体に取り付けるに際して、比較的無造作に操作しても、その作業を適正に行い、的確な取付状態を得ることができる有用な天板付家具として提供することができるものである。
【図面の簡単な説明】
【図１】本発明の一実施形態に係る天板付家具を、支持体に異形天板を取り付ける前の状態において示す斜視図。
【図２】同正面図。
【図３】異形天板の下面を係合部材等とともに示す分解斜視図。
【図４】同実施形態の支持要素たる袖構造体を示す平面図。
【図５】同正面図。
【図６】同側面図。
【図７】同実施形態の係合部材をこれに設けられた係合孔たるダルマ孔と突出部たる段付ピンの相互作用と共に示す説明図。
【図８】同実施形態に係る天板付家具を、支持体に異形天板を取り付けた状態において示す平面図。
【図９】同正面図。
【図１０】同実施形態の作用効果を説明するために参照する図。
【図１１】本発明の他の実施形態を示す図。
【符号の説明】
１…天板付家具
２…支持体
３…異形天板
３ａ…使用縁
３ｂ…反使用縁
３Ｃ…凹所
３Ｄ…凹所
４…袖構造（袖構造体）
５…スライド係合機構
５Ｂ４…係合孔（ダルマ孔）
８…突出部（段付ピン）
８１…突出端部（頭部）
１２…異形天板（扇形天板）
Ｐ…スライド始端位置
Ｑ…スライド終端位置
【図１】
2004230081.tif 000003
【図２】
2004230081.tif 000004
【図３】
2004230081.tif 000005
【図４】
2004230081.tif 000006
【図５】
2004230081.tif 000007
【図６】
2004230081.tif 000008
【図７】
2004230081.tif 000009
【図８】
2004230081.tif 000010
【図９】
2004230081.tif 000011
【図１０】
2004230081.tif 000012
【図１１】
2004230081.tif 000013